(57)【要約】      （修正有）【課題】椅子を設置できない場所に於いても使用者がパソコンを操作できる椅子及び脚を収納自在としたパソコン収納ケースを提供する。【解決手段】収納ケース１０は本体部１０Ａと蓋部１０Ｂからなり、本体部１０Ａと蓋部１０Ｂはヒンジ等の結合具１２で結合され蓋部１０Ｂは本体部１０Ａに開閉自在に構成される。本体部１０Ａは上下の中間位置に中敷を敷設し、中敷の上方に於ける本体部１０Ａの上面にはノートブック型パソコン１１を収納している。中敷の下方に於ける本体部１０Ａの下面には中敷の裏面であって２組の脚部１３ａと１３ｃ、１３ｂと１３ｄ、及び椅子１４を収納する。２組の脚部はそれぞれ収納ケース１０の内方に折畳み、また２組の脚部の内側の空間に椅子１４を分解して着座板１４ａ、一方の椅子脚１４ｂ、他方の椅子脚１４ｃをそれぞれ収納する。【選択図】図１
0003184214.tif 000002
【実用新案登録請求の範囲】
【請求項１】
本体部及び蓋部で構成されかつ該本体部に結合具で開閉自在に固定された蓋部でなる収納ケースと、前記本体部は上下の中間位置に中敷を有し、該中敷の上方にパソコンの本体部及びディスプレイ部を収納し、該中敷の下方に配置・固定した収納ケースの脚部を折畳自在に構成し該収納ケースの脚部間に収納する着座板及び一方、他方の椅子脚でなる椅子を有したことを特徴とする椅子及び脚を収納自在としたパソコン収納ケース。
【請求項２】
前記収納ケース、中敷、収納ケースの脚部及び椅子を（公序良俗違反につき、不掲載）で製作したことを特徴とする請求項１に記載の椅子及び脚を収納自在としたパソコン収納ケース。               
【考案の詳細な説明】
【技術分野】
【０００１】
本考案は、ノートブック型パソコン用の携帯型の収納ケースであって、該収納ケースに中敷を備え、この中敷の内部にパソコン本体を収納すると共に折畳み脚及びパソコン使用者が作業をするための椅子を分解して収納可能にした椅子及び脚を収納自在としたパソコン収納ケースの技術に関する。
【背景技術】
【０００２】
この種、従来の技術に於ける例としては図６及び図７に示す技術がある。これについて説明すれば、電子機器設置用台１はケース本体２と蓋３でなる軽合金製ケース状筐体であって、ケース本体２の上面すなわち蓋３の上面３ａを電子機器（図示せず）を設置・固定する平面とし、ケース本体２の底面２ａにスライドできるプリンタ台４を収納し、ケース本体２内に収納した４本の脚５・・・をケース本体２の底面２ａの外側に嵌合して電子機器設置台１を構成する。ケース本体２の側面２ｂに蓋３を自在に開放・閉止するための自在ヒンジ６、６を取付け、内部に４本の脚５・・・、電源コンセント７及び該電源コンセント７に接続した電源ケーブル７ａ並びに電子機器（図示せず）とそれに付属する部品類一式（図示せず）を収納する。電子機器設置用台１は移動、運搬に適した構造とするため、ケース本体２の底面２ａの外側に伸縮可能な移動用把手（図示せず）を取付け、ケース本体２の側面２ｂに、２個のキャスタ８、８と２個のゴム足９、９を取付ける。
【先行技術文献】
【特許文献】
【０００３】
【特許文献１】実用新案登録第３１２２６３５号登録実用新案公報
【考案の開示】
【考案が解決しようとする課題】
【０００４】
従来の技術は叙上の構成であるので次の課題が存在した。従来の技術は、電子機器を使用者が工場現場等で操作するときケース本体２から椅子を取出すことができず、別の場所から用意しなければならないという不便があった。また、電子機器を設置する際４本の脚５をケース本体２から取出し、ケース本体２の底面２ａにねじ止め又は取付け作業をする必要があり組付工数が増大するという問題点があった。
本考案はかかる問題点を解決すべく考案したものであって、工場内や椅子を設置できない場所、道路等あらゆる場所に於いても使用者がパソコンを操作できることを可能にし、加えてパソコンを操作する際、椅子や脚を速やかに収納ケースから取出すことをできる椅子及び脚を収納自在としたパソコン収納ケースを提供することを目的とする。
【課題を解決するための手段】
【０００５】
本考案はかかる問題点を解決するためになされたものであって、次の構成から成立する。
すなわち請求項１記載の考案によれば、本体部及び蓋部で構成されかつ該本体部に結合具で開閉自在に固定された蓋部でなる収納ケースと、前記本体部は上下の中間位置に中敷を有し、該中敷の上方にパソコンの本体部及びディスプレイ部を収納し、該中敷の下方に配置・固定した収納ケースの脚部を折畳自在に構成し該収納ケースの脚部間に収納する着座板及び一方、他方の椅子脚でなる椅子を有したことを特徴とする。
【０００６】
請求項２記載の考案によれば、請求項１に記載の椅子及び脚を収納自在としたパソコン収納ケースに於いて、前記収納ケース、中敷、収納ケースの脚部及び椅子を西川材で製作したことを特徴とする。
【考案の効果】
【０００７】
本考案に係る椅子及び脚を収納自在としたパソコン収納ケースは叙上の構成を有するので、次の効果がある。
すなわち、請求項１に記載の考案によれば、本体部及び蓋部で構成されかつ該本体部に結合具で開閉自在に固定された蓋部でなる収納ケースと、前記本体部は上下の中間位置に中敷を有し、該中敷の上方にパソコンの本体部及びディスプレイ部を収納し、該中敷の下方に配置・固定した収納ケースの脚部を折畳自在に構成し該収納ケースの脚部間に収納する着座板及び一方、他方の椅子脚でなる椅子を有したことを特徴とする椅子及び脚を収納自在としたパソコン収納ケースを提供する。
このような構成としたので、パソコン操作者はノートブック型パソコンを収納した収納ケースを作業現場に携行した際に、蓋部を開けることなく即ち収納ケースの本体部にノートブック型パソコンを収納した状態で脚部を収納ケース下方から展開して収納ケースを机状に形成することができるので、収納ケースからノートブック型パソコンを取出す必要が無いので作業環境が悪い作業場に於いてもノートブック型パソコンを破損する惧れがなく、またパソコン操作者は別に椅子がなくても収納ケースの下方から取出した着座板及び一方、他方の椅子脚を組立てて着座する椅子を使用することができるので安定した姿勢で迅速かつ簡便にパソコン操作ができるという効果がある。
【０００８】
請求項２に記載の考案によれば、前記収納ケース、中敷、収納ケースの脚部及び椅子を西川材で製作したことを特徴とする請求項１に記載の椅子及び脚を収納自在としたパソコン収納ケースを提供する。
このような構成としたので、請求項１に記載の考案の効果に加えて、軽量であって、美麗な木質の収納ケースを構成することができ、購買意欲を高め産業発達に寄与するという効果がある。
【図面の簡単な説明】
【０００９】
【図１】本考案に係る椅子及び脚を収納自在としたパソコン収納ケースの実施の形態を示すものであって、脚部を開放し立設した収納ケース及び椅子の使用状態を示す斜視図である。
【図２】本考案に係る椅子及び脚を収納自在としたパソコン収納ケースの実施の形態を示すものであって、椅子を分解して収納ケースの中敷の下方に収納した状態を示す斜視図である。
【図３】本考案に係る椅子及び脚を収納自在としたパソコン収納ケースの実施の形態を示すものであって、収納ケースの背面の構造並びに着座板及び２個の椅子脚を収納ケースの下部から取出した状態を示す斜視図である。
【図４】本考案に係る椅子及び脚を収納自在としたパソコン収納ケースの実施の形態を示すものであって、組立てた２個の椅子脚の上方端部に嵌合する浅溝を着座板に設けた状態を示す斜視図である。
【図５】本考案に係る椅子及び脚を収納自在としたパソコン収納ケースの実施の形態を示すものであって、収納ケースの中敷の下方に組込まれている着座板及び２個の椅子脚を取出して組立てかつ、脚部を立設した状態を示す斜視図である。
【図６】従来の技術の一例を示す斜視図である。
【図７】従来の技術の一例に於いて、ケース本体の背面である。
【考案を実施するための形態】
【００１０】
本考案に係る椅子及び脚を収納自在としたパソコン収納ケースの実施の形態について図面に基づき詳細に説明する。
図１に於いて、１０は収納ケースであって、例えばノートブック型パソコン１１を収納してある。該収納ケース１０は本体部１０Ａと蓋部１０Ｂでなる。該収納ケース１０は例えば、西川材等の木材質やアルミ材料等軽合金材料等で構成される。ここで西川材とは埼玉県飯能市、入間郡毛呂山町、及び同郡越生町から産出されるスギ及びヒノキの総称である。
【００１１】
該本体部１０Ａと蓋部１０Ｂはヒンジ等の結合具１２で結合されて該蓋部１０Ｂは本体部１０Ａに開閉自在に構成される。該本体部１０Ａは上下の中間位置に中敷１０Ｃを敷設している。従って中敷１０Ｃの上方に於ける本体部１０Ａの上面には例えば未使用時にはノートブック型パソコン１１の駆動部等を内蔵している本体部１１Ａ及びディスプレイ部１１Ｂを収納している。そして、前記中敷１０Ｃの下方に於ける本体部１０Ａの下面には中敷１０Ｃの裏面であって２組の脚部１３Ａ、１３Ｂ、及び椅子１４を収納する。２組の脚部１３Ａ、１３Ｂは図２に示すようにそれぞれ収納ケース１０の内方に折畳み、また２組の脚部１３Ａ、１３Ｂの内側の空間に椅子１４を分解して着座板１４ａ、一方の椅子脚１４ｂ、他方の椅子脚１４ｃをそれぞれ収納する。図中、１５は把手であり本体部１０Ａに固定してあり収納ケース１０を持ち運ぶとき把持する。
【００１２】
脚部１３Ａは一方、他方の支柱部材１３ａ、１３ｂを有し該支柱部材１３ａ、１３ｂ間に連結した架橋部材１３ｅを有する。また、脚部１３Ｂは一方、他方の支柱部材１３ｃ、１３ｄを有し該支柱部材１３ｃ、１３ｄ間に連結した架橋部材１３ｆを有する。一方、他方の支柱部材１３ａ、１３ｂ及び支柱部材１３ｃ、１３ｄのそれぞれ基端部には支持部材１３ｇ、１３ｈ、１３ｉ、１３ｊを中敷１０Ｃの下方の隅部に配置し、これにピン１７、１７、１７、１７で回動自在に本体部１０Ａに固定する。これによって２組の脚部１３Ａ、１３Ｂは収納ケース１０の内方へ折畳み自在または開放自在に構成できる。
【００１３】
椅子１４を構成する一方の椅子脚１４ｂ、他方の椅子脚１４ｃは全体形状が略矩形であって、薄板状に形成され図３に示すように、長手方向の中央部にそれぞれ深目の立溝状の切り欠き１４ｅ及び浅目の立溝状の切り欠き１４ｆを有している。また着座板１４ａは全体形状が一方、他方の椅子脚１４ｂ、１４ｃと同一寸法の矩形で作製されている。
【００１４】
一方の椅子脚１４ｂ、他方の椅子脚１４ｃを直交させて前記切り欠き１４ｅ及び１４ｆに於いて一方の椅子脚１４ｂ、他方の椅子脚１４ｃを組合せ固定する。また、図４に示すように、着座板１４ａの裏面１４ａ２即ちパソコン操作者が着座する面１４ａ１の反対面に２本の直交する浅溝１４ｄ、１４ｄを刻設する。該浅溝１４ｄ、１４ｄの溝幅寸法は前記椅子脚１４ｂ、椅子脚１４ｃの板厚寸法と同一又は１、２（ｍｍ）程度幅広に設定し、溝深さ寸法は数（ｍｍ）程度に設定する。そして、一方の椅子脚１４ｂの切り欠き１４ｅを他方の椅子脚１４ｃの切り欠き１４ｆに嵌合設定して図４に示すように全体形状が略十字状になるように組付ける。そして、着座板１４ａの裏面１４ａ２側に設定した前記浅溝１４ｄ、１４ｄは一方の椅子脚１４ｂ、他方の椅子脚１４ｃの上端部１４ｇ、１４ｈに嵌合して椅子１４を図５に示すように組立る。
【００１５】
次に本考案に係る椅子及び脚を収納自在としたパソコン収納ケースの使用手順を説明すれば、パソコン操作者は工場等使用する場所に該収納ケース１０を持ち運ぶ。そして該収納ケース１０の下面に収納している椅子１４を構成する着座板１４ａ、一方の椅子脚１４ｂ、他方の椅子脚１４ｃを取出し上述したように着座板１４ａ、一方の椅子脚１４ｂ、他方の椅子脚１４ｃを組立てセットし着座する。そして、２組の脚部１３Ａ、１３Ｂを開放操作し収納ケース１０の本体部１０Ａを工場等操作部位に設置する。    
【００１６】
而して、収納ケース１０の蓋部１０Ｂを開放し、本体部１０Ａに対し傾斜した位置に固定する。次にノートブック型パソコン１１のディスプレイ部１１Ｂを本体部１１Ａから開放し収納ケース１０の蓋部１０Ｂに適合させる。そしてパソコン操作者は本体部１１Ａのキーボード等を操作して作動開始する。パソコン操作が完了すれば前述の方法と逆の手順をして収納ケース１０を持ち運ぶことができる。
【００１７】
かくして、パソコン操作者はノートブック型パソコン１１を収納した収納ケース１０を作業現場に携行した際に、蓋部１０Ｂを開けることなく即ち収納ケース１０の本体部１０Ａにノートブック型パソコン１１を収納した状態で脚部１３Ａ、１３Ｂを収納ケース１０の下方から展開して収納ケース１０を机状に形成することができるので、収納ケース１０からノートブック型パソコン１１を取出す必要が無いので作業環境が悪い作業場に於いてもノートブック型パソコン１１を破損する惧れがなく、またパソコン操作者は別に椅子がなくても収納ケース１０の下方から取出した着座板１４ａ及び一方、他方の椅子脚１４ｂ、１４ｃを組立てて着座する椅子１４を使用することができるので安定した姿勢で迅速かつ簡便にパソコン操作ができる。
次に本考案に係る椅子及び脚を収納自在としたパソコン収納ケースの実施例１及び２について説明する。
【実施例１】
【００１８】
上述した脚部１３Ａ、脚部１３Ｂに於いて一方、他方の支持部材１３ａ、１３ｂ、１３ｃ、１３ｄのそれぞれが２部材で構成し、例えばその一方を径大の管状等に、その他方を径小の中実状にし一方の管状部材の中に他方の中実部材を挿入・脱出可能にして支持部材１３ａ〜１３ｄの全体の長さを伸縮自在に設定すると共にいずれか一方に位置決め部品を設ける。またヒンジ部品を使用し前記２部材を折曲・復元可能に構成し、支持部材１３ａないし１３ｄの全長を調整してもよい。この様にしたのでパソコン操作者の体格に適合して支持部材１３ａ、１３ｂ、１３ｃ、１３ｄの高さを適宜に設定できることとした。  
次に本考案に係る椅子及び脚を収納自在としたパソコン収納ケースの使用手順を説明すれば、パソコン操作者は工場等使用する場所に該収納ケース１０を持ち運ぶ。そして該収納ケース１０の下面に収納している椅子１４を構成する着座板１４ａ、一方の椅子脚１４ｂ、他方の椅子脚１４ｃを取出し上述したように着座板１４ａ、一方の椅子脚１４ｂ、他方の椅子脚１４ｃを組立てセットし着座する。そして、２組の脚部１３Ａ、１３Ｂに於ける一方、他方の支持部材１３ａないし１３ｄの２部材を連結し又は折曲した部分を復元して構成する。そして該２組の脚部１３Ａ、１３Ｂを開放操作し収納ケース１０の本体部１０Ａを工場等操作部位に設置する。収納ケース１０の蓋部１０Ｂを開放し、本体部１０Ａに対し傾斜した位置に固定する。次にノートブック型パソコン１１のディスプレイ部１１Ｂを本体部１１Ａから開放し収納ケース１０の蓋部１０Ｂに適合させる。そしてパソコン操作者は本体部１１Ａのキーボード等を操作して作動開始する。パソコン操作が完了すれば前述の方法と逆の手順をして収納ケース１０を持ち運ぶことができる。
尚、実施例１に於ける他の構成やパソコンの使用手順は上述した実施の形態の項と同一であり、その説明を省略する。
【実施例２】
【００１９】
上述した脚部１３Ａ及び脚部１３Ｂに於いて、図２、図３に示すような架橋部材１３ｅ及び１３ｆに単一又は複数個の止め具１６例えば鉤状フックを固定する。
而して、パソコン操作者は工場等使用する場所に該収納ケース１０を持ち運ぶ。そして上記止め具１６を係止・開放操作を行なう。次に該収納ケース１０の下面に収納している椅子１４を構成する着座板１４ａ、一方の椅子脚１４ｂ、他方の椅子脚１４ｃを取出し上述したように着座板１４ａ、一方の椅子脚１４ｂ、他方の椅子脚１４ｃを組立てセットし着座する。そして、２組の脚部１３Ａ、１３Ｂを開放操作し収納ケース１０の本体部１０Ａを工場等操作部位に設置する。収納ケース１０の蓋部１０Ｂを開放し、本体部１０Ａに対し傾斜した位置に固定する。次にノートブック型パソコン１１のディスプレイ部１１Ｂを本体部１１Ａから開放し収納ケース１０の蓋部１０Ｂに適合させる。そしてパソコン操作者は本体部１１Ａのキーボード等を操作して作動開始する。パソコン操作が完了すれば前述の方法と逆の手順をして収納ケース１０を持ち運ぶことができる。
尚、実施例２に於ける他の構成やパソコンの使用手順は上述した実施の形態の項と同一であり、その説明を省略する。また、実施例２は実施例１の特異な構成を追加構成してもよい。
【産業上の利用可能性】
【００２０】
本考案に係る椅子及び脚を収納自在としたパソコン収納ケースは、収納する機器をノートブック型パソコンに限定するものではなく、各種の測定器等の収納に適用でき、その利用範囲は広いものである。
【符号の説明】
【００２１】
１０      収納ケース
１０Ａ    本体部
１０Ｂ    蓋部
１０Ｃ    中敷
１１      ノートブック型パソコン
１１Ａ    ノートブック型パソコンの本体部
１１Ｂ    ノートブック型パソコンのディスプレイ部
１２      結合具
１３Ａ    脚部
１３Ｂ    脚部
１３ａ    一方の支柱部材
１３ｂ    他方の支柱部材
１３ｃ    一方の支柱部材
１３ｄ    他方の支柱部材
１３ｅ    架橋部材
１３ｆ    架橋部材
１３ｇ    支持部材
１３ｈ    支持部材
１３ｉ    支持部材
１３ｊ    支持部材
１４      椅子
１４ａ    着座板
１４ａ１  着座板の着座面
１４ａ２  着座板の裏面
１４ｂ    一方の椅子脚  
１４ｃ    他方の椅子脚
１４ｄ    浅溝
１４ｅ    切り欠き
１４ｆ    切り欠き  
１４ｇ    上端部
１４ｈ    上端部
１５      把手
１６      フック
１７      ピン
【図１】
0003184214.tif 000003
【図２】
0003184214.tif 000004
【図３】
0003184214.tif 000005
【図４】
0003184214.tif 000006
【図５】
0003184214.tif 000007
【図６】
0003184214.tif 000008
【図７】
0003184214.tif 000009
【手続補正書】
【提出日】平成25年4月15日(2013.4.15)
【手続補正１】
【補正対象書類名】明細書
【補正対象項目名】００１０
【補正方法】変更
【補正の内容】
【００１０】
本考案に係る椅子及び脚を収納自在としたパソコン収納ケースの実施の形態について図面に基づき詳細に説明する。
図１に於いて、１０は収納ケースであって、例えばノートブック型パソコン１１を収納してある。該収納ケース１０は本体部１０Ａと蓋部１０Ｂでなる。該収納ケース１０は例えば、西川材（「登録商標」であり以下「西川材」という）等の木材質やアルミ材料等軽合金材料等で構成される。ここで西川材とは埼玉県飯能市、入間郡毛呂山町、及び同郡越生町から産出されるスギ及び／又はヒノキの総称である。
【手続補正２】
【補正対象書類名】実用新案登録請求の範囲
【補正対象項目名】請求項２
【補正方法】変更
【補正の内容】
【請求項２】
前記収納ケース、中敷、収納ケースの脚部及び椅子をスギ又はヒノキで製作したことを特徴とする請求項１に記載の椅子及び脚を収納自在としたパソコン収納ケース。